(57)【要約】【課題】道糸の切断を防ぎ、錘重量を容易に変更することが可能で、かつ水中での仕掛けの自然な動きの演出を補助できるような釣用錘を提供する。【解決手段】道糸３をあらかじめ通したパイプ１ａと、その両端部をパイプ１ａの外径より太く形成したストッパ構造１ｂと、スライド可能な一対のゴム管１ｃとを有する錘取付具１に、扁平形状のウエイト本体２ａと、ウエイト本体２ａの両端部から両側に延びる一対のアーム部２ｂ、２ｃとを具えるウエイト部２を取付ける。これにより、道糸の切断を防ぎつつ、錘重量を容易に変更することができる。また、アーム部２ｂの長さをアーム部２ｃの長さよりも長くすることによって障害物回避効果を高めることができる。【選択図】図４
0003146431.tif 000002
【実用新案登録請求の範囲】
【請求項１】
ウエイト部分と錘取付具とから構成され、前記ウエイト部分が、ウエイト本体と、当該ウエイト本体から両側に延びる一対のアーム部とを有し、前記錘取付具が、道糸を通すことができるパイプと、当該パイプに対して前記ウエイト本体のアーム部を固定する一対のゴム管とを有することを特徴とする釣用錘。
【請求項２】
請求項１に記載の釣用錘において、前記ウエイト本体が扁平形状であることを特徴とする釣用錘。
【請求項３】
請求項１又は２に記載の釣用錘において、前記アーム部の一方が他方より長く構成されていることを特徴とする釣用錘。
【請求項４】
請求項１に記載の釣用錘において、前記錘取付具のパイプが、前記パイプから前記ゴム管が脱離するのを防ぐためのストッパ構造を、両端部に有することを特徴とする釣用錘。
【考案の詳細な説明】
【技術分野】
【０００１】
本考案は釣用錘に関し、特に道糸を傷つけることなく容易に錘重量の変更が可能であって、かつ、仕掛けの自然な動きを補助することが可能な釣用錘に関する。
【背景技術】
【０００２】
釣用錘は、仕掛けを遠くに飛ばし、水中で安定させる等の動作に対する重要な役割を担っている。そのため、様々な釣りのジャンルや用途、環境条件に対応できるように、数多くの種類の釣用錘が商品化されている。その中でも、ジャンルを問わない比較的汎用性の高い錘として、道糸を錘の中心部に通して使用する中通し錘と、道糸を錘の割れ目に挟み込んで固定するカミツブシ錘が使用されることが多い。
【０００３】
錘は時々刻々と変化するその場の環境条件に応じて、適宜最適なものと交換する必要がある。しかしながら、従来の錘の多くは着脱を前提として設計されていないため、錘を交換するには釣りの途中で道糸を切断して交換する必要があり、さらに取り付けに手間を要するものが多く、極めて不経済かつ非効率的なものであった。これらの問題を解決するために、下記特許文献１に示すような釣用錘が開発されている。
【０００４】
特許文献１では、道糸を挿通した上下のキャップに、略円筒形状の錘本体の上下両端から突出する突出突起を挿入固定する釣用錘を開示している。
【特許文献１】特許第４０６４８４８号公報
【考案の開示】
【考案が解決しようとする課題】
【０００５】
しかしながら、特許文献１の釣用錘は、キャップで道糸の特定部位に固定されるため、当該部位での道糸の屈曲が生じやすく、道糸の特定箇所に負荷がかかりやすい。従って、これが道糸の予測不能な切断原因となる。また、特許文献１の釣用錘は、水から受ける抵抗が少ないため沈むのが早くなり、例えば擬似的な獲物を魚に捕食させることにより釣果を得るルアーフィッシングのように、可能な限り自然な仕掛けの動きが求められる用途には不向きである。従って道糸の切断を有効に防ぎ、錘重量を容易に変更することが可能で、かつ水中での仕掛けの自然な動きの演出を補助できるような釣用錘があれば、汎用性をより高めることができる。
【課題を解決するための手段】
【０００６】
この課題を解決すべく、本考案にかかる釣用錘は、ウエイト部分と錘取付具とから構成され、前記ウエイトから両側に延びる一対のアーム部とを有し、前記錘取付具が、道糸を通すことができるパイプと、当該パイプに対して前記ウエイト部分のアーム部を固定する、一対のゴム管とを有することを最も主要な特徴とする。
【０００７】
また、この釣用錘において、前記ウエイト本体が扁平形状であることを特徴とする。
【０００８】
更に、前記アーム部の一方が他方より長く構成されていることを特徴とする。
【０００９】
また、この釣用錘において、前記錘取付具のパイプが、前記パイプから前記ゴム管が脱離するのを防ぐためのストッパ構造を、両端部に有することを特徴とする。
【考案の効果】
【００１０】
本考案では、錘取付具のパイプに道糸を通し、このパイプは道糸に固定されないため、釣用錘を道糸に固定せずに遊動化することが可能となる。従って、常に特定部位で道糸が折れるのが回避され、道糸にかかる負荷が低減し、切断が防止されるため耐久性を向上させることができる。
【００１１】
また、ウエイト本体を扁平形状とすることにより、着水後、水の抵抗を受けながら緩やかに釣用錘を沈めることができ、水中における仕掛け（例えば、ルアー）の自然な動作の演出を補助することが可能となり、釣果を上げることが期待できる。
【００１２】
更に、一方のアームを長く構成し、長い方のアーム部を道糸の遠位側に取り付けることによって、キャスティングの際にウエイト本体より先に前記長い方のアーム部が障害物に衝突することによってウエイト本体が障害物に衝突するのを避けることが可能となり、障害物回避効果を高めることができる。
【考案を実施するための最良の形態】
【００１３】
本考案の実施の形態を、添付の図面を参照しながら以下に詳細に説明する。
【００１４】
図１は、本考案における釣用錘の錘取付具の一実施例を示す斜視図である。錘取付具１は道糸を通す細長いパイプ１ａと、当該パイプ１ａ上でスライド可能な一対のゴム管１ｃとを有している。パイプ１ａの両端部はパイプの外径よりも太く形成され、ゴム管１ｃが脱離しないようになっている（ストッパ構造１ｂ）。ゴム管１ｃは、図２に示すウエイト部２のアームの挿入及び固定が可能な弾力性を有し、パイプ１ａの直径よりも大きいが、ストッパ構造１ｂから脱離しない程度の内径の管状ゴムを使用する。
【００１５】
パイプ１ａの材料は、道糸３に可能な限り負荷を与えない材料であることが好ましく、限定しないが、例えば塩化ビニル、ポリプロピレン、ゴムのような既知の合成樹脂を用いることができる。また、パイプ１の内径は道糸３を自由に通すことが可能で、釣用錘の移動等によって負荷がほとんどかからない程度の内径を有していることが好ましい。
【００１６】
ストッパ構造１ｂは、本実施例ではパイプ両端部を太く形成しているが、別の実施例では任意の太めの管状部材をここに接着固定等してもよい。
【００１７】
ゴム管１ｃは、ウエイト部２のアームの挿入及び固定が可能な強度を有するものであれば、管状ゴム以外の任意の管状部材から選択することも可能であるが、最も好ましいのは管状ゴムであり、上述したように挿入及び固定を容易にする弾力性を有する利点がある他、弾力性が劣化した場合にも交換が容易という利点がある。
【００１８】
図２は本考案における釣用錘のウエイト部の一実施例を示す斜視図であり、図３はその側面図である。ウエイト部２は、扁平形状のウエイト本体２ａと、ウエイト本体２ａの両端部から両側に延びる一対のアーム部２ｂ、２ｃとを有している。
【００１９】
ウエイト本体２ａの材料は、所望される重量に広く対応できるように比重の重い金属（例えば、タングステン）から選択することも、比重の軽い合成樹脂（例えば、プラスチック）の材料から選択することも可能である。
【００２０】
本実施例の２本のアーム部２ｂ、２ｃは例えば板状金属部材を塗装してなり、適度な弾力性と可撓性を有し、図３に示すように、ウエイト本体２ａから当該ウエイト本体２ａから見て同じ側に斜めに延在し、更にその中間部で反対側に鈍角に屈曲している。この屈曲形態によってアーム部２ｂ、２ｃをゴム管１ｃへ容易に装着することができる。更に、アーム部２ｂ、２ｃは一方のアーム部２ｂが他方のアーム部２ｃより長く形成されている。
【００２１】
本実施例のアーム部２ｂ、２ｃは板状金属部材で構成したが、本考案はこれに限るものではない。その場合でも、アーム部２ｂ、２ｃの材料は比重の軽い材質であることが好ましく、例えば塑性に富む針金や、プラスチック等を用いることができる。
【００２２】
錘重量については限定しないが、一実施例では１．８８ｇ、３ｇ、３．７５ｇ、５．４ｇを用意することができる。
【００２３】
次に、この釣用錘の取り付け方法を説明する。
【００２４】
図１の錘取付具１に図２のウエイト部２を装着した釣用錘の全体斜視図を図４に示す。本図に示すように道糸３を錘取付具１のパイプ１ａに通す。この場合、錘取付具１は釣り糸における遠位側の仕掛けの手前に配置され、道糸３に対して摺動自在である。
【００２５】
次に、錘取付具１のゴム管１ｃにそれぞれ、ウエイト部２の対のアーム部２ｂ、２ｃの先端を挿入し固定する。これで、ウエイト部２は錘取付具１に対して固定されるが、釣用錘自体は依然として道糸３に対して摺動自在である。この時、長い方のアーム部２ｂを道糸３の遠位側（仕掛け側）となるように取り付ける。これにより、この釣用錘を取り付けてキャスティングする際にアーム部２ｂが盾となり、ウエイト本体に障害物がぶつかるのを回避することができる。
【００２６】
錘重量を変更したい場合は、錘取付具１から前述と逆の方法でウエイト部２を取り外し、別の重量のウエイト部２を取り付けるだけでよく、道糸３を切断する必要がないため、容易かつ迅速に釣用錘の重量を変更することができる。
【００２７】
錘取付具１は道糸３に固定されないため、道糸３に固定する構造の釣用錘に比べ、その固定箇所において道糸３を傷めてしまうことがない。従って道糸３の劣化が防止され仕掛けの耐久性を向上することができる。なお、釣用錘が道糸３に固定されない場合でも、キャスティングの時は遠心力で、またリールを巻くときには慣性又は水の抵抗により釣用錘は遠位側（針側）に押しやられるため、使用上の問題は生じない。
【産業上の利用可能性】
【００２８】
本考案にかかる釣用錘は、釣具業界で利用することができる。
【図面の簡単な説明】
【００２９】
【図１】本考案における釣用錘の錘取付具の一実施例を示す斜視図である。
【図２】本考案における釣用錘のウエイト部の一実施例を示す斜視図である。
【図３】本考案における釣用錘のウエイト部の一実施例を示す側面図である。
【図４】図１の錘取付具１に図２のウエイト部２を装着した本考案における釣用錘の一実施例を示す全体斜視図である。
【符号の説明】
【００３０】
１    錘取付具
１ａ  パイプ
１ｂ  ストッパ構造
１ｃ  ゴム管
２    ウエイト部
２ａ  ウエイト本体
２ｂ  アーム部
２ｃ  アーム部
３    道糸
【図１】
0003146431.tif 000003
【図２】
0003146431.tif 000004
【図３】
0003146431.tif 000005
【図４】
0003146431.tif 000006